(57)【要約】【解決手段】靴（１４）、特に運動靴の中底（１０）と内底の間に多層組立体（１２）が設けられている。多層組立体（１２）は、多層組立体（１２）内に配置された耐熱層又は膜（１２ｂ）により熱の伝導を阻止する。多層組立体（１２）は、ストローベル材料製の二つの層（１２ａ、１２ｃ）の間に挟まれた金属化マイラ（ポリエチレンテレフタレート）の膜（１２ｂ）を含んでいるのが好ましい。【効果】この構成により、高温表面から足への熱の伝導を阻止できる効果的で耐久性のある設計が可能となる。他の様相によれば、有利な換気システムが内底内に設けられている。換気システムは多層組立体（１２）により熱から遮蔽されているため、効果的に機能する。【選択図】図１
2004516088.tif 000002
【特許請求の範囲】
【請求項１】
（ａ）中底と、
（ｂ）前記中底に固定された上体と、
（ｃ）前記中底の上部に設けられた多層組立体と、
を備え、前記多層組立体が
（ｉ）第一の材料層と、
（ｉｉ）第二の材料層と、
（ｉｉｉ）前記第一及び前記第二の材料層の間に設けられた耐熱膜材料と、を含む靴。
【請求項２】
前記耐熱膜がポリエチレンテレフタレートからなる請求項１に記載の靴。
【請求項３】
前記耐熱膜が前記中底に対向させた反射面を有する請求項１に記載の靴。
【請求項４】
前記耐熱膜が前記上体に対向させた非反射面を有する請求項３に記載の靴。
【請求項５】
前記耐熱膜が金属化ポリエチレンテレフタレートからなる請求項３に記載の靴。
【請求項６】
前記多層組立体が上体に縫い付けられ、前記耐熱膜が前記第一及び前記第二の材料層に接合されている請求項１に記載の靴。
【請求項７】
前記耐熱膜が金属化ポリエチレンテレフタレートからなる請求項６に記載の靴。
【請求項８】
前記金属化ポリエチレンテレフタレートは前記中底に対向させた反射面と前記上体に対向させた非反射面を有する請求項７に記載の靴。
【請求項９】
着用者の足の下側から空気を移動させるための換気システムを更に含み、この換気システムは、
（ｉ）上面と底面を有し着用者の足を支持する底部支持部を備えた内底と、
（ｉｉ）前記内底の前記底部支持部を貫通して、前記上面から前記底面へ延びた複数の孔と、
（ｉｉｉ）前記靴を貫通し前記靴の外部と内部の間の通路を提供するための少なくとも一つの通気孔開口部と、
（ｉｖ）前記内底の前記底面に設けられ、前記複数の孔の内の少なくとも幾つかと前記少なくとも１つの通気孔開口部との間の通路を提供する複数の溝と、を含む請求項８に記載の靴。
【請求項１０】
前記少なくとも１つの通気孔開口部が靴の外側側面を貫通する第一の通気孔開口部と靴の内側側面を貫通する第二の通気孔開口部を含む請求項９に記載の靴。
【請求項１１】
前記第一及び第二通気孔開口部の各々が前記上体を貫通する第一の孔と前記中底を貫通する第二の孔とを有し、前記第二の孔が前記第一の孔に位置合わせされている請求項１０に記載の靴。
【請求項１２】
前記第一及び第二通気孔開口部を覆う網状の材料を更に含む請求項１１に記載の靴。
【請求項１３】
前記内底の前記底部支持部を貫通する前記複数の孔が、
（ｉ）前記内底の踵領域に設けられた第一の複数の孔と、
（ｉｉ）前記内底の中央領域に設けられた第二の複数の孔と、
（ｉｉｉ）前記内底のつま先領域に設けられた第三の複数の孔と、
を含み、前記複数の溝が前記内底の前記中央領域に設けられている請求項９に記載の靴。
【請求項１４】
前記多層組立体が前記内底と前記中底の間に設けられる請求項１３に記載の靴。
【請求項１５】
更に内底を有し、前記多層組立体が前記内底と前記中底の間に設けられ、靴の内側側面を貫通する第一の通気孔開口部及び靴の外側側面にある第二の通気孔開口部を有し、前記内底は複数の溝を有し、前記第一及び第二の通気孔開口部は前記溝と連通する請求項１に記載の靴。
【請求項１６】
前記第一及び第二の通気孔開口部の各々が中底を貫通する第一の孔と上体を貫通し前記第一の孔と整列された第二の孔とを有し、網状材料が前記第一及び第二の通気孔開口部を覆い、前記多層組立体の前記第一及び第二の層がストローベル（ｓｔｒｏｂｅｌ）材料からなる請求項１５に記載の靴。
【請求項１７】
更に内底を有し、前記多層組立体が前記内底と中底の間に設けられる請求項１に記載の靴。
【請求項１８】
前記内底が成形発泡材及び前記発泡材の上に設けられたライニングを有し、前記内底が更に
（ｉ）着用者の足を支持し、踵領域、中央領域及びつま先領域を有する底部支持部と、
（ｉｉ）前記内底の内側側面に設けられた第一上方延出部と、
（ｉｉｉ）前記内底の外側側面に設けられた第二上方延出部と、
（ｉｖ）前記踵、中央、つま先領域の各領域に設けられた、前記底部支持部を貫通する複数の孔と、
（ｖ）前記底部支持部の底面に設けられた複数の溝と、
（ｖｉ）前記第一上方延出部に設けられた複数の孔もしくは複数の溝と、
を有する請求項１７に記載の靴。
【請求項１９】
前記中央領域に設けられた孔の内の幾つかが前記底面に設けられた前記複数の溝内に設けられかつ前記複数の溝から伸びており、前記第一上方延出部が複数の溝と複数の孔を有し、更に前記第一上方延出部の前記複数の溝の内の少なくとも１つが前記底部支持部の底面に設けられた前記複数の溝と連通し、前記靴は内側側面に設けられた少なくとも１つの通気孔開口部を有し、この少なくとも１つの通気孔開口部は前記上体及び前記中底を貫通し、前記少なくとも１つの通気孔開口部は前記底部支持部の底面に設けられた前記複数の溝と連通する請求項１８に記載の靴。
【請求項２０】
前記第二上方延出部が複数の孔もしくは複数の溝を有し、前記底部支持部の前記底面にある前記複数の溝と連通する少なくとも１つの通気孔開口部が靴の外側側面に更に設けられている請求項１９に記載の靴。
【請求項２１】
（ａ）上体と、
（ｂ）中底と、
（ｃ）前記中底の上部に設けられた内底と、
を備え、前記内底が、
（ｉ）着用者の足を支持し、上面及び底面、踵領域、中央領域及びつま先領域を有する底部支持部と、
（ｉｉ）前記中央領域において前記底部支持部の前記底面に設けられた複数の溝と、
（ｉｉｉ）前記中央領域において、前記内底を貫通し、前記上面から底面へ貫通する複数の孔と、
を有する靴。
【請求項２２】
更に前記内底と前記中底の間に設けられた多層組立体を有し、この多層組立体は第一の層及び耐熱膜を有し、前記耐熱膜は前記中底に対向させた反射面を有する請求項２１に記載の靴。
【請求項２３】
前記多層組立体が第二の層を更に有し、前記耐熱膜が前記第一の層及び第二の層の間に設けられ、前記耐熱膜は更に前記内底に対向させた非反射面を有する請求項２２に記載の靴。
【請求項２４】
前記第一及び第二の層がストローベル材料からなり、前記多層組立体が前記上体に縫い付けられ、前記耐熱膜が前記第一及び第二の層に接合されている請求項２３に記載の靴。
【請求項２５】
前記耐熱膜が金属化ポリエチレンテレフタレートである請求項２４に記載の靴。
【請求項２６】
前記内底の前記底面に設けられた前記複数の溝と連通する前記靴の内側側面に設けられた通気孔開口部を更に有する請求項２１に記載の靴。
【請求項２７】
前記内底が前記底部支持部から伸びた第一上方延出部を有し、前記第一上方延出部は前記内底を貫通する複数の孔及び複数の溝を有する請求項２６に記載の靴。
【請求項２８】
前記第一上方延出部の前記複数の溝が前記通気孔開口部と連通する請求項２７に記載の靴。
【請求項２９】
前記中底の前記踵領域を貫通する複数の孔及び前記中底の前記つま先領域を貫通する複数の孔を更に有する請求項２８に記載の靴。
【請求項３０】
前記内底が前記靴の外側側面に第二上方延出部を更に有し、前記第二上方延出部は前記内底を貫通する複数の孔を有する請求項２９に記載の靴。
【請求項３１】
前記内底と前記中底の間に設けられた多層組立体を更に有し、前記多層組立体は
（ｉ）第一の層と、
（ｉｉ）第二の層と、
（ｉｉｉ）前記第一の層及び前記第二の層の間に設けられ、前記中底に対向させた反射面及び前記内底に対向させた非反射面とを有する耐熱膜と、
を有する請求項２８に記載の靴。
【請求項３２】
前記第一及び第二の層がストローベル材料であり、前記耐熱膜が金属化ポリエチレンテレフタレートであり、前記多層組立体が前記上体に縫い付けられた請求項３１に記載の靴。
【請求項３３】
前記内底の前記底面に設けられた前記複数の溝と連通する前記靴の外側側面に設けられた通気孔開口部を更に有する請求項２６に記載の靴。
【請求項３４】
前記内底と前記中底の間に設けられた多層組立体を更に有し、前記多層組立体は、
（ｉ）第一の層と、
（ｉｉ）第二の層と、
（ｉｉｉ）前記第一の層及び前記第二の層の間に設けられ、前記中底に対向させた反射面及び前記内底に対向させた非反射面を有する耐熱膜と、
を有する請求項３３に記載の靴。
【請求項３５】
前記第一及び第二の層がストローベル材料であり、前記耐熱膜が金属化ポリエチレンテレフタレートであり、前記多層組立体が前記上体に縫い付けられた請求項３４に記載の靴。
【請求項３６】
前記靴は、前記上体を貫通して靴内に延び前記内底の前記底部支持部の上側の位置に到る少なくとも１つの通気孔開口部と、前記上体を貫通して靴内に延び前記内底の下側の位置に到る少なくとも１つの通気孔開口部とを有し、網状材料が前記通気孔開口部を覆っている請求項２１に記載の靴。
【発明の詳細な説明】
【０００１】
【発明の属する技術分野】
本発明は履物に関し、より詳しくは、特に足の温度を調整・制御することにより着用者に改善された快適さを提供する運動用の履物に関する。本発明は主に足を涼しく乾燥した状態に保つ靴に関するものである。また、本発明は足を保温するように設計された履物にも利用できる。
【０００２】
【従来の技術】
履物産業、特に運動用の履物産業は、着用者の快適さ及び／又は性能を良くするために数多くの設計を行ってきた。設計変更の多くは、靴が足を支える方法を改善し、これにより靴が衝撃をより良く吸収できるようにしたり、怪我の可能性を減少させると同時に着用者がより快適に大きな力を加えることを可能にするものである。これ等の設計変更は快適さと性能との間には相互依存性がある場合が多いことを示している。この履物なら怪我もしないし不快にもならないと自分の履物を信頼できる運動選手は、練習及び運動をより良く行うことができ、能力の限界まで到達できる。
【０００３】
あまり注目されない履物設計の一様相は、足の温度及び履物の加熱防止能力（場合によっては保熱能力）に関するものである。ランニングやテニス等の多くの運動的活動を行う場合、着用者は高温下で且つ大気温度よりも高くなることもある地面（例えば、アスファルト）上で運動しなければならない。このような条件下では、足を出来るだけ涼しく乾燥した状態に保つことが靴にとって重要である。同様に、運動選手が寒い条件下で運動する場合には、履物は、着用者の運動能力を最適にし、また怪我を防止するために熱を保持する必要がある。
【０００４】
運動選手がアマチュアであるかプロであるかに関わらず、履物の温度調整機能は、快適さと運動能力の両方に効果がある。足に不快感がある場合には、肉体的活動を十分楽しめないのは明白である。更に、そのような不快感は心理学的及び生理学的に着用者の運動能力を低下させる。一般に、例えばランニング又はテニス用の履物では、足の過熱を防止するのが望ましい。足の温度が高すぎると、過度の発汗と早期の疲労（精神的及び肉体的）が起こる。更に、過度の発汗により足が靴内でしっかりと保持されなくなり、着用者の能力、即ち迅速に反応し、素早く足を運び、方向を変える能力が損なわれる。
【０００５】
或る条件の下で、例えば運動的活動が寒い気候で行われる場合には、熱を保持することが望ましい。熱の保持は、着用者に快適さを提供し、怪我又は凍傷を防ぎ、血行を促進するので重要である。温度調整は、着用者の快適さと運動能力を高めるのに非常に重要であることは明白である。
【０００６】
望ましい温度調整を提供するために多くの履物の設計が試みられてきた。例えば、シウング（Ｈｓｉｕｎｇ）に付与された米国特許第４，０５５，６９９号は、靴の断熱特性を高めるために４層の内底を使用し、その底部層をアルミ化マイラ（Ｍｙｌａｒ）で形成することを開示している。シウング（Ｈｓｉｕｎｇ）の構成は寒い気候には適しているが、熱い条件で足温を調整する助けとはならない。その上、内底の底部でのマイラの使用は、マイラが使用につれて劣化し問題が起きる。更に、マイラを熱い条件で底部層として利用すると、マイラの劣化及び／又は剥離の可能性が増大する。
【０００７】
足の過熱を防止する観点からは、足の下側で熱を調整する能力を実現することが一番難しい。しかしながら、運動靴の設計時に最も重点が置かれることが多い足の下側の領域での緩衝機能と支持機能を損なわずに温度調整機能を上手く組み入れるのは難しい。従って、靴の緩衝機能／支持機能と干渉せず、足を涼しく乾燥した状態に保つことが出来る耐久性のある設計を提供するのは難しい。
【０００８】
【発明が解決しようとする課題】
本発明の目的は、着用者の足の温度を制御・調整する能力を高めた靴を提供することである。本発明は、主として足の過熱を防止し足を涼しく乾燥した状態に保つことに焦点をおいているが、別の様相では、本発明を利用して靴の中に熱を保持できるという利点もある。
【０００９】
【課題を解決するための手段】
本発明の特に好ましい形態では、２層のストローベル材料に挟まれた耐熱膜を含む多層組立体が靴の中底と内底の間に設けられる。耐熱膜は、例えば、金属化マイラ膜等である。このような膜には、反射面と非反射面がある。足の過熱を防止することが要求される場合は、膜の反射面を中底に向けてアスファルトなどの高温表面から足への熱の伝導を弱めるもしくは阻止するバリアとして作用させる。また、必要に応じこの構成を利用して膜の反射面を内底に向けて配置し、足の熱を保持する様に設計された履物とすることもできる。このように、本発明の第一の焦点は、足の過熱を和らげ、足を涼しく乾燥した状態に保つ履物の設計に置かれている。
【００１０】
耐熱膜はストローベル材料に挟まれているので、剥離の恐れもなく、マイラ膜は周囲のストローベル材料で保護されているため、耐熱膜の耐久性は優れている。また、本発明では、換気システムが内底に組みこまれているので、内底の下側にストローベルとマイラの多層膜を配置すると更に有利となる。このように、ストローベル／マイラ多層組立体によって、高温表面から足への熱の伝導を低減できるだけでなく、換気システム内の空気も高温表面の熱から保護されるので、換気システムの性能も向上する。本発明の他の有利な様相は以下に更に詳しく開示される。
【００１１】
【発明の実施の形態】
以下、図面を参照して説明する。図１は本発明に係る靴の側面分解図である。該靴は、靴から熱を逃がすことができ、またテニスやはランニングにおいて高温地表面からの熱で足が過熱状態になることを防止できるため特に有利である。該靴は、１０で示す靴底／中底組立体を含み、この靴底／中底組立体１０の上に有利な多層組立体１２が設けられている。靴底／中底組立体１０は靴の使用目的及び／又は着用者の好みに従って種々の形態をとることができる。従って、靴底／中底組立体１０には、運動選手が特定の運動的活動のために望む緩衝及び支持機能を提供する種々の設計が採用される。本発明によれば、多層組立体１２は耐熱層又は膜１２ｂを含んでいるのが好ましい。この耐熱層は、例えば高温アスファルト表面から足への熱の伝導を阻止するのに役立つ。現時点での好ましい形態では、層１２ｂは反射即ち光沢面と非反射即ち非光沢面とを有する重合体の膜である。例えば、耐熱層は金属化マイラ材料（ポリエチレンテレフタレート）であり、それはストローベル（ｓｔｒｏｂｅｌ）材料又はストローベル板のような材料から成る二つの層１２ａ、１２ｃの間に挟まれている。そのようなマイラ材料はアルミ化マイラ又はクロムマイラとしても知られている。層１２ａ及び１２ｃの材料は、ストローベル「板」と呼ばれる場合も多いが、それは通常柔軟性のある材料であり、不織布又は織布繊維材料を含むことができる。
【００１２】
図１に示すように、マイラ１２ｂはストローベル材料製の第一の層１２ａとストローベル材料製の第二の層１２ｃとの間に挟まれている。このストローベルのサンドイッチ状のものは、ストローベル縫いで上体１４に縫い付けられている。図１ではこのストローベル縫いの縫い目が１２ｄで示されている。上記したように、マイラ材料は金属化マイラであるのが好ましく、金属化マイラは通常、反射即ち「光沢」面及び非反射即ち「非光沢」面を含む。足の過熱を防止することが望まれる場合には、マイラの薄板は光沢即ち反射面が下を向くように配置される。この配置では、マイラの膜は、アスファルト表面のテニスコートのような高温表面から足への熱の伝導を減少又は阻止する障壁として働く。しかしながら、熱を保持することが望まれる場合には、層１２ｂは光沢即ち反射面が上方に、内底の方に向くように配置される。
【００１３】
本発明の特に好ましい形態によれば、靴は足の過熱を防止し、層１２ｂの光沢即ち反射面は下側、即ち中底の方を向いており、一方、非光沢即ち非反射表面は上側、即ち内底の方を向いている。マイラの膜は極めて薄いので、緩衝／支持の点で靴の性能を損なわないであろう。実際に、マイラの膜は非常に薄くでき、そのため多層組立体１２を断面で見ると、ストローベル材料製の層の間にかろうじて見える程度である。耐熱膜はストローベル板のような織地に良好に付着する。更に、耐熱膜はストローベル材料内に挟まれているので、マイラの膜の耐久性はストローベル材料の耐久性と本質的に同じになる。従って、マイラの膜の剥離又は劣化に関連する問題は本発明の構成で避けることができる。先に述べたように、足の熱を保持することが望まれる条件の下で靴が用いられる場合でも、反射即ち光沢面が上体に向くように耐熱膜を配置すれば、同じ多層組立体１２を用いることができる。
【００１４】
図１の構成の特徴は、高温になる可能性のある条件下で足の温度を調整することに更に役立つように補助的な通気機構が設けられていることである。光沢即ち反射面を下側に向けた金属化マイラのような耐熱膜と組み合わせて設けられる該通気機構は足を涼しく乾燥した状態に保つのに更に役立つ。該通気機構は、例えば、足が開口部を介して呼吸できるように上体に配置された一連の開口部１６、１７を含む。必要であれば、これらの開口部をメッシュ／スクリーン材料、例えば細い針金又はナイロンの網状材料を用いて覆うことができる（靴の内側からが好ましい）。この網状材料は開口部を介して足の呼吸を可能にし、また一方では足を保護し、開口部を介して破片が靴に侵入するのを防止する。また、網状材料は、開口部が存在していても上体の構造の一体性を維持するのにも役立つ。上体を貫通して延びている開口部は、１６で示す細長いスロット開口部及び／又は１７で示す複数の円形開口部又は孔を含むことができる。勿論、他の寸法及び形態の開口部も用いることができる。これらの開口部は靴の上体を介して靴の内部に、そして足の上部、即ち多層組立体の上側でかつ靴の内底の上側の位置へ通気する。
【００１５】
通気孔開口部１６、１７の他に、靴の換気のために多層組立体１２と内底の間の領域に通気孔開口部２０が設けられている。通気孔開口部２０と協働して利点をもたらす内底の詳細は後で述べる。通気孔開口部２０は靴の外側側面と内側側面の両方に設けるのが好ましい。図１に示される構成では、靴の組立時において、中底を貫通して延びている孔２０ａが上体を貫通して延びている孔２０ｂと位置が合うように上体の一部が中底内に収容され、これよにり通気孔開口部２０が形成される。上で論じた開口部又は孔１６、１７と同様に、通気孔開口部２０も又メッシュ／スクリーン材料２０ｃで覆うことができる。
【００１６】
上に述べたように、通気孔開口部２０は多層組立体１２と内底との間の場所で靴の内部と連通している。そのような構成は多くの点で有利である。第一に、上述の如く、多層組立体１２は高温表面から着用者の足に到達する熱の量を減らす。第二に、通気孔開口部２０及び通気孔開口部１６、１７を利用して着用者の足から熱が取り除かれる。更に、開口部２０を介しての換気（及び以下に記述される内底内に設けられた換気システムを利用すること）は、多層組立体１２の耐熱膜が内底組立体の下に設けられており、そのため高温表面から換気システム内の空気への熱の伝導も阻止されるためにより効果的である。従って、多層組立体１２は、高温表面から足への熱の伝導を減らすこと及び高温表面から換気システムの空気への熱の伝導を減らすことにも役立ち、それにより換気システムの有効性を高める。
【００１７】
図２及び図３は、それぞれ本発明による内底の平面図及び底面図である。（図２は右足用内底の平面図に対応し、図３は左足用内底の底面図に対応する。）内底（靴の中敷ライナと呼ばれる場合もある）は本発明の現時点での好ましい形態では取り外し可能である。しかし、接着又は縫合を含む種々の手段又は手段の組み合わせによって内底を靴の中に固定することもできる。内底３０は多層組立体１２の上で上体１４の内側に配置される。
【００１８】
図２及び図３に示すように、内底３０は着用者の足を支持する底部支持部３２を含む。この底部支持部３２は、上面３２ａ、底面３２ｂ、及び上面から底面まで内底を貫通して延在する複数の孔３４を含む。図３に示すように、内底は踵領域３６、中央領域３８、及びつま先領域４０を含む。孔３４はこれらの領域の各々に設けるのが好ましいが、必ずしも設ける必要はない。中央領域３８では、複数の溝が内底の底部支持部３２の底面３２ｂに付加的に形成されている。これらの溝４２は孔３４を介して靴の外部へ空気や熱を逃がすのに役立つが、これは溝が孔３４から通気孔開口部２０までの連通経路又は通路を提供するからである。本発明によれば、内底の中央領域３８に溝４２を設けるのが好ましく、これは中央領域が通常最も多量の熱を逃がす必要があるからである。更に、輪郭に沿って形成した溝構造を足の踵又はつま先領域に設けた場合、そのような溝は不快感の原因となるか、又は靴底／中底組立体によって提供される緩衝／支持機能を妨げるであろう。溝４２は靴の長手方向に延ばすことが出来、また図示のようにそれを横切っても延ばすこともできる。図３に示すように、中央領域３８では、大きな溝４２ａが内底の底面３２ｂを横切って延びている。この大きな溝４２ａは、既に論じたように、（例えば、中底及び上体に設けられた開口部２０ａ、２０ｂを通して）靴を貫通して延びる通気孔開口部２０と連通している。従って、靴の内側及び外側側面に設けられた通気孔開口部２０は溝４２ａと連通している。そして、溝４２ａは内底の底面３２ｂ上に設けられた他の溝４２と連通しており、その結果、空気と熱は内底の底面に沿って流れ、また孔３４を介して流れ、足の底部を冷やす。換気システムを利用した空気の循環機能は、着用者が内底を押し付けその後内底から力を解放する時に更に高められるが、これは着用者が運動している間、内底と空気の通路が圧縮及び解放されるからである。
【００１９】
図４〜図６は、それぞれ図３のＩＶ−ＩＶ線、Ｖ−Ｖ線、及びＶＩ−ＶＩ線に沿った内底３０の断面図である。更に、図７は図２及び図３に示す内底の内側側面の側面図である。図８は図２及び図３に示す内底の外側側面の側面図である。図９は図３のＩＸ−ＩＸ線に沿った内底の断面図である。
【００２０】
図４〜図６に示すように、内底３０は、発泡樹脂等の発泡材料５０を含み、この発泡材料５０を覆うようにナイロン又はポリエステル製ライニング等の織地５２が設けられている。通常、ライニング５２と発泡樹脂材料５０は相互に結合された後、所望の内底の形に圧縮成形される。内底３０を貫通する孔３４は成形によって作るか、又は要望がある場合は、圧縮成形の後、内底を打ち抜くことによって形成される。図３及び図５に示すように、突起部５４を拡張溝領域４２ａ内に設けることができる。この突起部５４はロゴを表示する場所を提供し、また流れ方向転換器として機能する。このため、内底の他の部分を通気しないで空気が外側通気孔開口部から内側通気孔開口部２０へ通過してしまうような単純な流れにはならない。更に、この突起部５４は靴の中央領域３８において、特に拡張溝が設けられている領域において適切な支持を確保できる。
【００２１】
図５及び図６に示すように、内底３０は、靴の内側に上方延出部５６を備え、外側に上方延出部５８を備えるのが好ましい。また、溝と孔を上方延出部５６、５８に設けることができ、これにより足を涼しく乾燥した状態に保つ靴の性能が更に高まる。図示の実施形態では、孔６０（図３及び図８）は、内底の外側に設けられた上方延出部５８を貫通して延びており、一方、内底の内側に設けられた上方延出部５６は孔６２と溝６４の両方を有している（図３及び図７）。図３及び図７に示すように、溝６４は、交差する溝、即ち上方に延びた溝６４ａと足の長手方向に延びた溝６４ｂとを含むことができる。最も下側の溝６４ｂは内底の底面の拡張溝４２ａに隣接して配置され、それにより靴の内側通気孔開口部２０を内底の底面３２ｂ上に設けられた溝と内側の上方延出部５６の溝６４との両方に連通させることができる。
【００２２】
【発明の効果】
上述の説明から明らかなように、本発明は多くの面で有利である。二片のストローベル材料の間に耐熱層、詳しくは金属化マイラ（ポリエチレンテレフタレート）を設けることにより、足の温度を調整できる効果的で耐久性のある多層組立体が提供される。足を涼しく乾燥した状態に保つために多層組立体を本発明の好ましい構成で用いた場合、多層組立体は高温表面から足に熱が伝導するのを阻止するのに効果的であるのみならず、本発明の換気システムへの熱の伝導を阻止するのにも効果的で、換気システムの性能の劣化を防止する。同様に、本発明が、靴の他の部分の支持／緩衝機能を損なうことなしに、足の下側に空気の循環を提供する有利な換気システムを提供できることは明らかである。換気システムは、内底の底部において足の中央領域に溝又は通路を提供し、内底を貫通する孔を通して空気と熱が流れることを可能にするための通路を提供する上で特に有利である。
【００２３】
上記の教示に鑑み本発明に種々の変形や変更を加えることが可能である。よって、特許請求の範囲から逸脱することなく、本明細書に具体的に記載した以外の態様で本発明を実施できるものである。
【図面の簡単な説明】
【図１】
本発明による靴の分解側面図である。
【図２】
本発明による右足用内底の平面図である。
【図３】
本発明の左足用内底の底面図である。
【図４】
図３のＩＶ−ＩＶ線に沿った断面図である。
【図５】
図３のＶ−Ｖ線に沿った断面図である。
【図６】
図３のＶＩ−ＶＩ線に沿った断面図である。
【図７】
図３の内底の内側面の側面図である。
【図８】
図３の内底の外側面の側面図である。
【図９】
図３のＩＸ−ＩＶ線に沿った断面図である。
【図１】
2004516088.tif 000003
【図２】
2004516088.tif 000004
【図３】
2004516088.tif 000005
【図４】
2004516088.tif 000006
【図５】
2004516088.tif 000007
【図６】
2004516088.tif 000008
【図７】
2004516088.tif 000009
【図８】
2004516088.tif 000010
【図９】
2004516088.tif 000011
【国際公開パンフレット】
2004516088.tif 000012
2004516088.tif 000013
2004516088.tif 000014
2004516088.tif 000015
2004516088.tif 000016
2004516088.tif 000017
2004516088.tif 000018
2004516088.tif 000019
2004516088.tif 000020
2004516088.tif 000021
2004516088.tif 000022
2004516088.tif 000023
2004516088.tif 000024
2004516088.tif 000025
2004516088.tif 000026
2004516088.tif 000027
2004516088.tif 000028
2004516088.tif 000029
2004516088.tif 000030
2004516088.tif 000031
2004516088.tif 000032
2004516088.tif 000033
【国際調査報告】
2004516088.tif 000034
2004516088.tif 000035